(57)【特許請求の範囲】
【請求項１】
玩具建造セットであって、ひも、線、ワイヤ又はチェーンの如き細長い可撓性の要素（２）を有する引張要素（１）を備え、該細長い可撓性の要素（２）の一端部が連結手段（３）に固定されており、該連結手段は、当該玩具建造セットの一部をなす建造要素の一つ以上の相補的な連結スタッド（４、６）と摩擦的に連結する連結部（５）をその下側に有しており、該連結手段（３）は、その下側に回転対称の一つの連結スカート（５）を有し、該細長い可撓性の要素（２）の引張強度よりも小さく、かつ該連結手段（３）と該相補的な連結スタッド（４、６）との間の連結方向に対して交差する方向への該細長い可撓性の要素（２）における引張力により、該連結手段（３）と該相補的な連結スタッド（４、６）との間の摩擦的な係合を解除するに十分な大きさのねじりモーメントが該連結手段に生じるように、該連結手段（３）の該下面から十分に離れた点において該細長い可撓性の要素（２）が該連結手段（３）に連結されており、該細長い可撓性の要素（２）は、前記連結手段（３）に固定されている領域において、該連結手段（３）と該相補的な連結スタッド（４、６）との間の連結方向に対してほぼ垂直な方向に伸長していることを特徴とする玩具建造セット。
【請求項２】
請求項１に記載の玩具建造セットにおいて、該細長い可撓性の要素（２）に塑性変形を生じさせる引張力より小さい該細長い可撓性の要素（２）における引張力により、該連結手段（３）と該相補的な連結スタッド（４、６）との間の摩擦的な係合を解除するに十分な大きさのねじりモーメントが該連結手段に、該連結手段（３）と該相補的な連結スタッド（４、６）との間の連結方向に対して交差する方向に生じるように、該連結手段（３）の該下面から十分に離れた点において該細長い可撓性の要素（２）が該連結手段（３）に連結されていることを特徴とする玩具建造セット。
【請求項３】
請求項１又は２に記載の玩具建造セットにおいて、前記細長い可撓性の要素（２）と前記連結手段（３）との間の連結領域に破断を生じさせることのできる引張力よりも小さい前記細長い可撓性の要素（２）における引張力により、該連結手段（３）と該相補的な連結スタッド（４、６）との間の摩擦的な係合を解除するに十分な大きさのねじりモーメントが該連結手段に、該連結手段（３）と該相補的な連結スタッド（４、６）との間の連結方向に対して交差する方向に生じるように、該連結手段（３）の該下面から十分に離れた点において該細長い可撓性の要素（２）が該連結手段（３）に連結されていることを特徴とする玩具建造セット。
【請求項４】
請求項１、２又は３に記載の玩具建造セット、前記引張要素の前記細長い可撓性の要素（２）は、少なくとも２つの端部を有しており、これらの端部の各々に連結手段（３）が設けられていることを特徴とする玩具建造セット。
【請求項５】
請求項４に記載の玩具建造セットにおいて、前記連結手段（３）は同一であることを特徴とする玩具建造セット。
【請求項６】
請求項１乃至５のいずれかに記載の玩具建造セットにおいて、前記連結手段（３）は、その下側と対向する上面を有しており、該上面に１又はそれ以上の相補的な連結スタッド（４）が設けられていることを特徴とする玩具建造セット。
【請求項７】
請求項６に記載の玩具建造セットにおいて、前記細長い可撓性の要素（２）は、前記下面と前記上面との間で前記連結手段（３）に固定されており、前記連結手段（３）は、前記細長い可撓性の要素に対して射出成形されていることを特徴とする玩具建造セット。
【請求項８】
請求項７に記載の玩具建造セットにおいて、前記細長い可撓性の要素（２）は、編んだ又は織った糸から構成されていることを特徴とする玩具建造セット。
【請求項９】
請求項６乃至８のいずれかに記載の玩具建造セットにおいて、前記連結手段は、その上面に唯一の連結スタッド（４）を有していることを特徴とする玩具建造セット。
【請求項１０】
請求項９に記載の玩具建造セットにおいて、前記連結スタッド（４）は、回転対称であることを特徴とする玩具建造セット。
【発明の詳細な説明】
本発明は、請求項１の前提部に記載されるタイプの建造セットに関する。この建造セットは、ひも、ワイヤ又はチェーンの如き細長い可撓性の要素を有する引張要素を備えている。細長い可撓性の要素の一端部は、連結手段に固定されている。この連結手段は、その下面に連結手段を有しており、この連結手段は、建造セットの一部である別の建造要素に設けられる１又はそれ以上の相補的な連結スタッドと摩擦的に連結するようになっている。
建造セットにおいては、上記引張要素を用いて、建造セットの構成要素で構築することのできる構造物の各部分を連結する。従って、引張要素は、構造物の間に引張力を伝達することができ、上記構造物を用いて、例えば、上記連結手段がクレーンのフック又は同様なものを構成しているクレーンの吊り上げ要素として、例えば、列車セットの個々の台車を連結することを可能にする。
上記目的のための周知の引張要素は、該引張要素が連結手段に固定される領域において、細長い可撓性の要素が、連結手段と相補的な連結スタッドとの間の連結方向に対して平行に伸長するように構成されている。この構成は、引張要素によって連結手段と相補的な連結スタッドとの間の摩擦力に伝達することのできる引張力を制限する。この制限は不都合なものであり、その理由は、上記摩擦力は、構造体の個々のブロックを容易に連結及び分離するために、比較的小さいことが望ましい場合が多いからである。
従って、別のタイプの引張要素が知られており、この引張要素においては、細長い可撓性の要素は、連結手段と相補的な連結スタッドとの間の連結方向に対して直角方向に伸長しており、これにより、伝達することのできる引張力は、連結手段と連結スタッドとの間の摩擦力によって制限されることはない。しかしながら、上記後者のタイプの周知の引張要素には、伝達することのできる引張力が、細長い可撓性の要素の引張強度、あるいは、細長い可撓性の要素と該要素が固定される連結手段との間の連結領域の引張強度を超えることがあるという欠点が伴う。この欠点は、実際に、引張要素を破壊させたり、あるいは、最悪の状態ではないが、引張要素が取り付けられる構造物を破損させることがある。
従って、本発明の目的は、引張要素の引張強度を超える引張力によって引張要素を破損させる危険性を含む要素を使用することなく、連結手段と相補的な連結スタッドとの間の摩擦力を超える引張力を伝達することができる、前提部に述べたタイプの引張要素を提供することである。
本発明によれば、上記目的は、前提部に記載された引張要素によって達成され、この引張要素は、以下のようにして形成される。すなわち、細長い可撓性の要素を連結手段の下面から十分に離れた点で連結手段に連結する。これにより、細長い可撓性の要素の引張強度よりも小さい引張力が、連結手段と相補的な連結スタッドとの間の連結方向に対して交差する方向において、上記細長い可撓性の要素に作用すると、上記連結手段にねじりモーメントが生ずる。このねじりモーメントは、連結手段及び相補的な連結スタッドをそれらの間の摩擦的な係合から引き出すのに十分な大きさである。また、上記細長い可撓性の要素は、該要素が上記連結手段に固定される領域において、連結手段と相補的な連結スタッドとの間の連結方向に対して実質的に直角方向に伸長する。
請求項２は、引張要素が通常の使用の間に塑性変形を受けることがないことを更に確実にする、便利な実施例を規定している。
請求項３に規定される特徴によって、細長い可撓性の要素が、該細長い可撓性の要素と連結手段との間の連結領域で引張強度を超える引張り強さを有する場合に、通常の使用の間に破損しない要素が提供される。
請求項４に特徴づけられるように、引張要素の両端部に連結手段が設けられる。請求項５に特徴づけられるように、総ての端部に同じ構成を有している連結手段は、高度の確実性を可能とし、引張要素の少なくとも一端部は、該要素が破損する前にその摩擦的な係合を解除し、これにより、引張要素が取り付けられている相補的な連結スタッドの一方が変形した場合に生ずる大きな摩擦力に対する余裕を与えることができる。
請求項６は、連結手段も相補的な連結スタッドを有していて、これにより、引張要素の２又はそれ以上の端部を連結することのできる、好ましい実施例の特徴を規定している。この構成は、引張要素を幾つかの異なる用途に使用することを可能とし、この場合にも、上記要素は通常の遊びの間に破損することはない。
請求項７に特徴づけられるように、細長い可撓性の要素を、鋳造プロセスにおいて、連結手段の上面と下面との間に固定することにより、中子を必要としない鋳型を用いることが可能となり、この目的のために射出成形機を用いて中子の引出し操作を排除することが可能である。
請求項８に特徴づけられるように、細長い可撓性の要素は、織った又は編んだ糸から効果的に構成し、これにより、細長い可撓性の要素を連結手段に良好に固定することができる。
請求項９によれば、連結手段に連結スタッド及び連結スカートだけを設けることによって、連結手段を建造セットの他の要素の連結スタッドに連結するための力が極めて小さくなり、同時に、連結手段を横方向の引張力によって引っ張って連結スタッドから外すための力は、比較的大きくなる。
連結スタッド及び連結スカートを回転対称すなわち軸対称に設計することにより、連結スタッドは、細長い可撓性の要素を必要以上に変形させることなく、建造セットの他の要素に対して多くの異なる向きで取り付けることができ、これにより、引張要素に直接的な引張力を与えることができる。
ここで、図面を参照して本発明を詳細に説明する。
図面において、
第１図は、本発明の引張要素を示しており、
第２図は、第１図の引張要素が別の要素に取り付けられている状態を示している。
第１図は、本発明の引張要素１を示しており、該引張要素１の中央部分は、適宜な長さを有する可撓性のひも２から構成されている。図面には、ひも２の一部だけが示されている。ひも２の両端部には、カップリング３が各々の設けられている。これらのカップリングは、プラスチック材料を射出成形することにより形成されている。一方のカップリングが、断面図で示されていて、内部の輪郭を明らかにしている。従って、引張要素１は、通常、カップリングを射出成形によりひも２に固定し、これにより、ひも２の粗い表面がカップリングとの間に良好で堅固な連結を確立するようにすることにより、製造される。
各々のカップリング３は、回転対称すなわち軸対称のユニットの形態として形成されており、上面に連結スタッド４を備え、下側に連結スカート５を備えている。連結スカートは、連結スタッド４に対して相補的である。これにより、カップリング３は、互いに連結することができ、あるいは、建造セットの他の要素７の連結スタッド６に取り付けることができる。
第２図は、カップリング３の一方が要素７の連結スタッド６に取り付けられた状態を示している。要素７は、幾つかの態様で具体化することができ、玩具の固定部品とするか、あるいは、幾つかの要素（図示せず）から構成することができる。これにより、引張要素を、例えば、建造セットにおいて引張ひもとして用いて、引張要素が一方の構造体から他方の構造体に引張力を伝達することができるようにすることができる。
第２図から明らかなように、ひも２は、カップリング３の高い位置に取り付けられており、これにより、カップリング３が要素７の連結スタッド６に取り付けられた時に、完全な取り付け箇所が要素７の連結スタッド６の最上方の面８よりも上方に位置するようになっている。
これにより、第２図に示すように、引張力をひも２の方向に加えると、カップリング３にモーメントの影響を与えることが可能となり、このモーメントは、ひも２、又は、カップリング３に設けられたひもの取付具を破損させることなく、カップリング３をスタッド６から引き離すことができる。
本発明によれば、ひも２のカップリング３に対する取り付け箇所は、この取り付け箇所の高さが連結スタッド６の最上方の表面８よりも上方にあり、これにより、連結スタッド６と連結スカート５との間の摩擦力がこれらを適所に保持しようとする場合でも、ひも２を引っ張ることによってカップリング３に与えられるモーメントにより、引張要素１を破損させることなく、カップリング３を連結スタッド６から引き離すことができる。
カップリング３に対するひも２の取り付け箇所を選択することによって、カップリング３を連結スタッド６から引き離すのに必要な引張力を調節して、例えばひも２の強度に合わせ、これにより、ひも２も、あるいは、カップリング３のひもの取付具も破損しないようにすることができる。
上述の実施例を本発明の範囲内で多くの態様で変形することができることは明らかである。従って、引張要素は、１個、３個又はそれ以上の数のカップリングを有することができる。また、引張要素の総ての端部にカップリングを設ける必要はない。連結スタッド及び連結スカートも、上述の回転対称すなわち軸対称な形態以外の他の多くの形態のものとして形成することができる。
ひも２に関しては、本発明の範囲から逸脱することなく、チェーン、電線、ワイヤ又は同様なものでひもを置き換えることもできる。
【図１】
0003681758.tif 000002
【図２】
0003681758.tif 000003